(57)【要約】【課題】注意地点の風景画像を注視することなく、その中の注目地点を容易に認識することができるようにする。【解決手段】案内経路上の運転に注意を要する所定の注意地点に対し、所定の距離に近づいたとき、注意地点の風景を示す画像を表示するナビゲーションシステムにおいて、注意地点の風景を示す画像２４を、その中の注目すべき地点２５を直ちに認識させるための所定の処理が施されたものとする。風景画像の表示は所定の画像データに基づいて行い、注目すべき地点を直ちに認識させるための処理は、その画像データにおいて予めなされている。【選択図】図２
2007187535.tif 000002
【特許請求の範囲】
【請求項１】
案内経路上の運転に注意を要する所定の注意地点に対し、所定の距離に近づいたとき、前記注意地点の風景を示す画像を表示するナビゲーションシステムにおいて、
前記風景画像は、その中の注目すべき地点を直ちに認識させるための所定の処理が施されていることを特徴とするナビゲーションシステム。
【請求項２】
前記風景画像の表示は所定の画像データに基づいて行われるものであり、前記所定の処理は前記画像データにおいて予めなされているものであることを特徴とする請求項１に記載のナビゲーションシステム。
【請求項３】
前記所定の処理は、前記注目地点を画像処理により強調させる処理、前記注目地点を枠囲いとする処理、又は前記注目地点の色調を他の部分の色調と異なるものにする処理であることを特徴とする請求項１又は２に記載のナビゲーションシステム。
【請求項４】
前記風景画像の表示は所定の画像データに基づいて行われるものであり、前記所定の画像データは、前記注意地点の風景を撮像して得られた画像の画像データ、又は前記注意地点の風景をイラスト若しくは模式図により表した画像の画像データに基づくものであることを特徴とする請求項１〜３のいずれか１項に記載のナビゲーションシステム。
【請求項５】
前記風景画像の表示に際し、所定の警告音を発する手段を有することを特徴とする請求項１〜４のいずれか１項に記載のナビゲーションシステム。
【請求項６】
案内経路上の運転に注意を要する所定の注意地点に対し、所定の距離に近づいたとき、前記注意地点の風景を示す画像を、所定の画像データに基づいて表示するナビゲーションシステムにおいて使用する前記画像データであって、
それに基づいて表示される前記風景画像が、その風景中の注目すべき地点を直ちに認識させることができるようにするための所定の処理が施されていることを特徴とするナビゲーション用画像データ。
【請求項７】
ナビゲーションシステムが、案内経路上の運転に注意を要する所定の注意地点に対し、所定の距離に近づいたとき、前記注意地点の風景を示す画像を表示するナビゲーション方法であって、
前記風景画像の表示に際し、前記風景画像として、その中の注目すべき地点を直ちに認識させるための所定の処理が施されているものを表示することを特徴とするナビゲーション方法。
【発明の詳細な説明】
【技術分野】
【０００１】
本発明は、案内経路上の注意地点に対し、所定の距離に近づいたとき、その注意地点の風景を示す画像を表示するようにしたナビゲーションシステム、これに使用できるナビゲーション用画像データ、及びナビゲーション方法に関する。
【背景技術】
【０００２】
従来、ナビゲーションシステムとして、システムを搭載した車両が事故多発地帯等の注意地点に近づいたとき、ナビゲーションシステムに格納された当該注意地点付近の写真データに基づき、その写真の画像を表示するようにしたものが知られている。この表示は、当該注意地点の様子を写真の画像で示すことによって、ユーザに対し当該注意地点に関する直感的でわかりやすい案内となることを意図して行われるものである。
【０００３】
図４はこのようなナビゲーションシステムにおける画面表示例を示す。図中の４１はシステムを搭載した車両の現在位置近傍における地図の表示、４２は地図表示４１における車両の現在位置を示すマーク、４３は地図表示４１における注意地点、４４は注意地点付近の風景を写した写真の画像である。
【０００４】
同図に示されるように、現在位置がマーク４２で示される車両が、注意地点４３から所定距離の地点まで近づいたとき、注意地点４３付近の写真の画像４４が表示される。この表示を見ることにより、ユーザは、車両が注意地点の近傍に達したとき、実際に視界内に入ってくる注意地点を直感的に認識することができる。
【０００５】
なお、特許文献１には、これに関連する技術として、運転上の各種注意事項に対応する各種マークを、ナビゲーション画面に表示されている地図上の、予め設定された位置に表示するとともに、車両が各種マークで示される地図上の位置に近づいたとき、そのマークに対応する警告情報を音声によって知らせるようにしたナビゲーション装置が記載されている。
【０００６】
【特許文献１】特開平９−３１８３７１号公報
【発明の開示】
【発明が解決しようとする課題】
【０００７】
しかしながら、上述の図４で示される従来技術によれば、注意地点に近づいたときに表示される写真の画像は、実際に走行する注意地点付近の道路等の風景を撮影した写真の画像をそのまま表示したものであるため、ユーザにとっては、イラストで注意地点付近を表したものよりも直感的にその場所を把握することができる反面、表示された画像内において注目すべき地点を発見するために、画像を注視することになり、運転の妨げとなる。また、注目地点のみを拡大した画像を表示するようにすると、その周辺の風景がわからないので、実際に注意地点に到達したときに、注目地点がどこにあるのかを捜すのが困難となる。
【０００８】
本発明の目的は、このような従来技術の問題点に鑑み、ナビゲーションシステムにおいて、注意地点の風景画像を注視することなく、その中の注目地点を容易に認識することができるようにすることにある。
【課題を解決するための手段】
【０００９】
上記目的を達成するための第１の発明は、案内経路上の運転に注意を要する所定の注意地点に対し、所定の距離に近づいたとき、注意地点の風景を示す画像を表示するナビゲーションシステムに関する。このナビゲーションシステムは、前記風景画像が、その中の注目すべき地点を直ちに認識させるための所定の処理が施されていることを特徴とする。
【００１０】
ここで、ナビゲーションシステムとしては、たとえば、車載用のナビゲーションシステムが該当する。所定の注意地点としては、たとえば、事故多発地帯が該当する。注目地点を直ちに認識させるための所定の処理としては、たとえば、ユーザが、注目地点を、風景画像を注視することなく容易に認識することができるような処理や、一目見るだけで認識することができるような処理や、運転に支障がないように容易に認識することができるような処理が該当する。注目地点としてはたとえば、大きな事故が発生した横断歩道や、小さな事故が多発している曲がり角が該当する。
【００１１】
この構成において、案内経路上の運転に注意を要する所定の注意地点に対し、所定の距離に近づいたとき、ナビゲーションシステムは、注意地点の風景を示す画像を表示する。その際、表示される風景画像は、その中の注目すべき地点を直ちに認識させるための所定の処理が施されている。したがって、ユーザは、風景画像を一見しただけで、特に注視することなく、注意地点の風景全体の様子と、その中で特に注目すべき注目地点とを同時に把握することができる。これによりユーザは、注意地点を通過する際に、その全体の様子から注意地点であることを確実に理解し、かつその中の注目地点を容易に見分け、システムが搭載された車両を安全に走行させることができる。
【００１２】
第２の発明に係るナビゲーションシステムは、第１発明において、前記風景画像の表示は所定の画像データに基づいて行われるものであり、前記所定の処理は前記画像データにおいて予めなされているものであることを特徴とする。
【００１３】
第３の発明に係るナビゲーションシステムは、第１又は第２発明において、前記所定の処理は、前記注目地点を画像処理により強調させる処理、前記注目地点を枠囲いとする処理、又は前記注目地点の色調を他の部分の色調と異なるものにする処理であることを特徴とする。
【００１４】
第４の発明に係るナビゲーションシステムは、第１〜第３のいずれかの発明において、前記風景画像の表示は所定の画像データに基づいて行われるものであり、前記所定の画像データは、前記注意地点の風景を撮像して得られた画像の画像データ、又は前記注意地点の風景をイラスト若しくは模式図により表した画像の画像データに基づくものであることを特徴とする。
【００１５】
第５の発明に係るナビゲーションシステムは、第１〜第４のいずれかの発明において、前記風景画像の表示に際し、所定の警告音を発する手段を有することを特徴とする。
【００１６】
第６の発明は、案内経路上の運転に注意を要する所定の注意地点に対し、所定の距離に近づいたとき、前記注意地点の風景を示す画像を、所定の画像データに基づいて表示するナビゲーションシステムにおいて使用する前記画像データに関する。このナビゲーション用の画像データは、それに基づいて表示される前記風景画像が、その風景中の注目すべき地点を直ちに認識させることができるようにするための所定の処理が施されていることを特徴とする。
【００１７】
第７の発明は、ナビゲーションシステムが、案内経路上の運転に注意を要する所定の注意地点に対し、所定の距離に近づいたとき、前記注意地点の風景を示す画像を表示するナビゲーション方法に関する。このナビゲーション方法は、前記風景画像の表示に際し、前記風景画像として、その中の注目すべき地点を直ちに認識させるための所定の処理が施されているものを表示することを特徴とする。
【発明の効果】
【００１８】
本発明によれば、注意地点の風景を示す画像は、その中の注目すべき地点を直ちに認識させるための所定の処理が施されているので、ユーザは、風景画像を注視することなく、注意地点の風景全体の様子とともに、その中における注目地点を容易に認識することができる。つまり、注意地点の風景の表示範囲を広く維持したまま、狭い注目地点をユーザに対して報知することができる。
【００１９】
また、注目地点を直ちに認識させるための所定の処理は、画像データにおいて予めなされているので、注意地点の風景画像の表示を行うときに注目地点を強調するための重ね合せ処理を行ったりする必要はない。したがって、風景画像を表示するためのソフトウェアを変更する必要はなく、従来のソフトウェアをそのまま用いて風景画像の表示を行うことができる。
【発明を実施するための最良の形態】
【００２０】
図１は本発明の一実施形態に係るナビゲーションシステムの構成を示すブロック図である。同図に示すように、このナビゲーションシステムは、システムが搭載された車両の現在位置を検出する自車位置検出部１１、ナビゲーションに必要な情報を記憶している記憶部１２、システム及びユーザ間のインタフェースとして機能する表示部１３、並びに自車位置検出部１１や記憶部１２からの情報に基づき、表示部１３を用いてナビゲーション処理を行う処理部１４を備える。
【００２１】
記憶部１２は地図データベースが格納された地図データ記憶部１２ａ及び注意地点付近の写真データが格納された案内データ記憶部１２ｂを有する。案内データ記憶部１２ｂにはまた、個々の写真データに対応させて、対応する注意地点に関する情報が記憶されている。各注意地点情報には、注意地点の経緯度、進入方向、案内距離、及び地図データベースにおける関連道路の情報が含まれる。
【００２２】
「進入方向」は、ナビゲーションシステムが当該注意地点を案内対象とするための条件を規定するものであり、ナビゲーションシステムは「進入方向」で規定される方向から車両がその注意地点に進入する場合にその注意地点を案内対象とする。「案内距離」は、当該注意地点についての案内を開始するための条件を規定するものであり、ナビゲーションシステムはその注意地点までの距離が「案内距離」で規定される距離となったときに対応する写真画像の表示を開始する。
【００２３】
図２は表示部１３におけるナビゲーション画面の表示例を示す。図中の２１はナビゲーションシステムを搭載した車両の現在位置近傍における地図の表示、２２は地図表示２１における車両の現在位置を示すマーク、２３は地図表示２１における注意地点、２４は注意地点２３付近の写真の画像である。案内データ記憶部１２ｂに格納されている写真データによる画像は、画像２４のように、画像処理ソフトウェア等により、最も注目しなければならない部分２５が強調されている。また、「飛び出し注意」の警告メッセージ２６が含められている。なお、図２と同内容の、より実際のイメージに近い画面を図５に示す。
【００２４】
図３は処理部１４における処理の一部を示すフローチャートである。この処理は、所定の間隔で、繰り返し行われる。自車位置検出部１１からの信号を受信すると、判定部１４ａが、その信号に基づいて、車両の現在位置を示す経度及び緯度を算出し、この経緯度情報に基づき、車両の現在位置付近の地図データを地図データ記憶部１２ａから読み出し、現在走行中の道路を特定する（ステップ３１）。このとき描画部１４ｂは、読み出された地図データや車両の現在位置に基づき、表示部１３における地図の表示２１や、現在位置を示すマーク２２の表示を行う。さらに判定部１４ａは、案内データ記憶部１２ｂから、現在位置付近の注意点情報を読み出す（ステップ３２）。
【００２５】
次に、判定部１４ａは、読み出した注意点情報に基づき、走行中の道路の前方に注意地点が存在し、かつ該注意地点から「案内距離」で規定される距離内に達したか否かの判定を行う（ステップ３３）。注意地点が存在しないと判定した場合には図３の処理を終了する。注意地点が存在し、かつ「案内距離」で規定される距離内に達したと判定した場合には、描画部１４ｂが、該注意地点の写真データを案内データ記憶部１２ｂから読出し（ステップ３４）、写真データに基づく描画処理を行い、画像２４の表示を行う（ステップ３５）。またこのとき、処理部１４は、所定の警告音、たとえば「飛び出し注意」を出力する。この後、図３の処理を終了する。
【００２６】
これによれば、写真データによる画像２４において、従来の風景写真のような広い表示範囲を維持したまま、狭い注目地点２５をユーザに認識させることができる。したがってユーザは、注意地点近傍の様子を容易に認識し、かつその中の注目地点２５を容易に把握して、運転に反映させることができる。すなわち、表示部１３において表示される注意地点の写真データは、広角で撮影されたものであっても、写真データに基づいて表示される画像２４においては注目地点２５が強調されているので、ユーザは画像２４を注視することなく、注意地点付近の様子と共にその中の注目地点２５を一目で直ちに認識し、認識結果を安全運転に供することができる。
【００２７】
その際、実際の運転に際して視覚による確認の目標物となる注目地点２５が、背景と同化して見分けづらいものであっても、画面上では目標物が強調されているので、瞬時にユーザは目標物の場所を知ることができる。また、予め目標物の部分が強調された写真データが記憶部１２ｂに格納されており、処理部１４はその写真データに基づいて描画を行うだけで目標物を容易に認識させることができるので、処理部１４において目標物が見分けづらいかどうかを判定したりする処理は不要である。つまり、ナビゲーションシステムのソフトウェアによって注目地点を強調するための重ね合せ処理を行うのではなく、格納している写真データ自体に注目地点を一目で把握できるようにするための装飾や強調が行われているので、従来のソフトウェアをそのまま使用して画像２４の表示を行うことができる。
【００２８】
なお、本発明は、上述実施形態に限定されることなく、適宜変形して実施することができる。たとえば上述においては、注意地点付近の風景を示す画像の画像データとして写真データを用いているが、この代わりに注意地点付近の風景を示すイラストや模式図の画像データを用い、その中の注目地点を一目で把握することができるようにしてもよい。
【００２９】
また、上述においては、注目地点を一目で把握することができるようにするために、画像処理によって注目地点を強調するようにしているが、この代わりに、注目地点を枠囲いしたり、注目地点の色調を他の部分と異なるものにしたりすることによって、注目地点を一目で把握することができるようにしてもよい。
【図面の簡単な説明】
【００３０】
【図１】本発明の一実施形態に係るナビゲーションシステムの構成を示すブロック図である。
【図２】図１のシステムの表示部におけるナビゲーション画面の表示例を示す図である。
【図３】図１のシステムの処理部における処理の一部を示すフローチャートである。
【図４】従来のナビゲーションシステムにおける画面表示例を示す図である。
【図５】図２と同内容の、より実際のイメージに近い画面を示す図である。
【符号の説明】
【００３１】
１１：自車位置検出部、１２：記憶部、１２ａ：地図データ記憶部、１２ｂ：案内データ記憶部、１３：表示部、１４：処理部、１４ａ：判定部、１４ｂ：描画部、２１，４１：地図表示、２２，４２：車両の現在位置を示すマーク、２３，４３：注意地点、２４，４４：注意地点付近の写真の画像、２５：注目地点、２６：メッセージ。
【図１】
2007187535.tif 000003
【図２】
2007187535.tif 000004
【図３】
2007187535.tif 000005
【図４】
2007187535.tif 000006
【図５】
2007187535.tif 000007